(57)【要約】【課題】操作ボタンの周囲を光源にて光演出する場合に、接点及び光源の防滴構造を適切に行い得るスイッチユニット及び遊技機を提供する。【解決手段】ＰＣＢ２５には、操作ボタン２３の周囲を照らすＬＥＤ２５ｃが搭載されている。表示ユニット１１と操作ボタン２３との間には、ＰＣＢ２５を覆うべく入力領域を臨む位置にシート開口部２４ａを形成した弾性部材からなるラバーシート２４が設けられている。ラバーシート２４は、操作ボタン２３の押し下げによりＰＣＢ２５の電極端子２５ｂ・２５ｂを導通させるべく電極端子２５ｂ・２５ｂに対向して当接可能に設けられたカーボン電極と、ＰＣＢ２５の周囲を覆う立ち下がり部２４ｅと、ＬＥＤ２５ｃからの光を透過すべく上面に形成された光透過部２４ｆとを備えている。【選択図】図１
2014044833.tif 000002
【特許請求の範囲】
【請求項１】
少なくとも１個の入力領域の画像を表示する表示部と、接点を有しかつ上記表示部の入力領域の画像が上方から見えるように基板開口を有して該表示部の上側に設けられた基板と、少なくとも１個のボタンケース開口部を有して上記基板を覆うように設けられた操作ボタンケースと、上記操作ボタンケースのボタンケース開口部を通して押し下げ自在に設けられ、かつ押し下げにより上記接点を導通させる少なくとも１個の透光性を有する操作ボタンとを備えたスイッチユニットにおいて、
上記基板には、上記操作ボタンの周囲を照らす光源がさらに搭載されていると共に、
上記表示部と操作ボタンとの間には、上記基板を覆うべく上記入力領域を臨む位置にシート開口部を形成した弾性部材からなる光透過防滴シートが設けられており、
上記光透過防滴シートは、該操作ボタンの押し下げにより上記基板の接点を導通させるべく該接点に対向して当接可能に設けられた接点導通部と、上記基板の周囲を覆う立ち下がり部と、上記光源からの光を透過すべく上面に形成された光透過部とを備えていることを特徴とするスイッチユニット。
【請求項２】
前記光透過防滴シートは、一種類の有色からなる弾性部材にてなっていると共に、
前記光透過防滴シートにおける光透過部以外は、上記光源からの光を遮光する遮光部となっており、
上記光透過部の厚さは、上記遮光部の厚さよりも薄いことを特徴とする請求項１記載のスイッチユニット。
【請求項３】
前記光透過防滴シートは、吸光係数が４〜７の有色からなるシリコンゴムにてなっていることを特徴とする請求項２記載のスイッチユニット。
【請求項４】
前記光透過防滴シートには、隣接する光源の間を遮光すべく遮光部からなる遮光仕切りが設けられていることを特徴とする請求項２又は３記載のスイッチユニット。
【請求項５】
前記操作ボタンケースのボタンケース開口部には、操作ボタンの周囲に嵌合され、前記光源からの光を操作ボタンの周囲に沿って照射させる光拡散枠が該操作ボタンの周囲に嵌合されていることを特徴とする請求項１〜４のいずれか１項に記載のスイッチユニット。
【請求項６】
請求項１〜５のいずれか１項に記載のスイッチユニットを備えていることを特徴とする遊技機。
【発明の詳細な説明】
【技術分野】
【０００１】
本発明は、スイッチユニット及び遊技機に関するものであり、特に押しボタン方式のスイッチユニット、及びこれを搭載した遊技機の防滴・分光構造に関するものである。
【背景技術】
【０００２】
従来、いわゆるスロットマシンと呼ばれるゲーム機が存在している。スロットマシンは、複数種類のシンボルが表示された複数のリールが回転し、停止したときに表示されているシンボルの揃い方及びその揃っているシンボルにより役が決定し、決定した役及びベット数に応じて賞が付与されるものである。
【０００３】
そして、ベット数の設定や、リールの回転等の操作は、ボタンを押すことにより行われていた。すなわち、遊技者は、設定するベット数分、ベットボタンを手で押すことによりベット数を決定し、リール回転ボタンを手で押すことによりリールの回転を開始させ、リールは機器の制御により自動で停止させていた。
【０００４】
ところで、スロットマシンは、カジノ等に設置されている。カジノには、１つの遊技機メーカが製造したものだけでなく、様々な遊技機メーカのスロットマシンが設置されている。遊技者は、様々な遊技機メーカのスロットマシンの中から嗜好のあったスロットマシンを選択して遊技を行う。このため、カジノでは、遊技者に人気のあるスロットマシンを設置して、競合する他社に対する優位性を確保しようとする経営戦略をとっている。したがって、遊技機メーカは、遊技者にアピールできるスロットマシンを提供できるように努力している。
【０００５】
例えば、特許文献１には、タッチパネルで構成された表示部を設け、表示部にキャラクター及びテンキーを表示して、ベット数の設定及びリールの回転開始をタッチパネルで行う遊技機としてのスロットマシンが開示されている。
【０００６】
また、特許文献２には、操作スイッチが押し易さを考慮して傾斜面に設けられたスロットマシンが開示されている。
【先行技術文献】
【特許文献】
【０００７】
【特許文献１】特開２００５−１１１１３７号公報（２００５年４月２８日公開）
【特許文献２】特開２００６−１４９７００号公報（２００６年６月１５日公開）
【発明の概要】
【発明が解決しようとする課題】
【０００８】
しかしながら、上記従来のスイッチユニット及び遊技機では、遊技中に飲料等の液体が操作スイッチにこぼされると、スイッチユニットの内部に浸入した液体が固まることにより接点が固着してしまったり、画像が見難くなったりする。したがって、接点の防滴構造が必要となるという問題点を有している。
【０００９】
また、スロットマシンの操作スイッチにおいて他社製品との優位性を持たせるために、表示以外でのアピールとして、ボタン周囲を発光させた演出を行う操作スイッチが開発されている。
【００１０】
したがって、このような光の演出を行う場合には、光源の防滴構造も必要となるという問題点を有している。
【００１１】
本発明は、上記従来の問題点に鑑みなされたものであって、その目的は、操作ボタンの周囲を光源にて光演出する場合に、接点及び光源の防滴構造を適切に行い得るスイッチユニット及び遊技機を提供することにある。
【課題を解決するための手段】
【００１２】
本発明のスイッチユニットは、上記課題を解決するために、少なくとも１個の入力領域の画像を表示する表示部と、接点を有しかつ上記表示部の入力領域の画像が上方から見えるように基板開口を有して該表示部の上側に設けられた基板と、少なくとも１個のボタンケース開口部を有して上記基板を覆うように設けられた操作ボタンケースと、上記操作ボタンケースのボタンケース開口部を通して押し下げ自在に設けられ、かつ押し下げにより上記接点を導通させる少なくとも１個の透光性を有する操作ボタンとを備えたスイッチユニットにおいて、上記基板には、上記操作ボタンの周囲を照らす光源がさらに搭載されていると共に、上記表示部と操作ボタンとの間には、上記基板を覆うべく上記入力領域を臨む位置にシート開口部を形成した弾性部材からなる光透過防滴シートが設けられており、上記光透過防滴シートは、該操作ボタンの押し下げにより上記基板の接点を導通させるべく該接点に対向して当接可能に設けられた接点導通部と、上記基板の周囲を覆う立ち下がり部と、上記光源からの光を透過すべく上面に形成された光透過部とを備えていることを特徴としている。
【００１３】
上記の発明によれば、スイッチユニットは、少なくとも１個の入力領域の画像を表示する表示部と、接点を有しかつ上記表示部の入力領域の画像が上方から見えるように基板開口を有して該表示部の上側に設けられた基板と、少なくとも１個のボタンケース開口部を有して上記基板を覆うように設けられた操作ボタンケースと、上記操作ボタンケースのボタンケース開口部を通して押し下げ自在に設けられ、かつ押し下げにより上記接点を導通させる少なくとも１個の透光性を有する操作ボタンとを備えている。
【００１４】
このようなスイッチユニットでは、操作ボタンケースには、操作ボタンを押し下げ自在に通すボタンケース開口部が表示部の入力領域に対応する位置に設けられているので、飲料水等の液体がスイッチユニットにこぼれると、ボタンケース開口部における操作ボタンとの隙間に液体が流れる。この結果、操作ボタンケースの下側に存在する基板の接点に液体が浸入する虞がある。また、本発明では、操作ボタンの周囲を照らす光源が基板にさらに搭載されているので、光源の防滴構造も必要となる。
【００１５】
そこで、本発明では、表示部と操作ボタンとの間には、上記基板を覆うべく上記入力領域を臨む位置にシート開口部を形成した弾性部材からなる光透過防滴シートが設けられている。そして、この光透過防滴シートは、操作ボタンの押し下げにより上記基板の接点を導通させるべく該接点に対向して当接可能に設けられた接点導通部と、上記基板の周囲を覆う立ち下がり部と、上記光源からの光を透過すべく上面に形成された光透過部とを備えている。
【００１６】
この結果、接点及び光源は基板に設けられており、その基板は、光透過防滴シートの表面及び基板の周囲を覆う立ち下がり部によって、シールされている。このとき、光透過防滴シートは弾性部材からなっているので、光透過防滴シートにおける立ち下がり部の下端を表示部に密着させることができる。
【００１７】
このため、ボタンケース開口部における操作ボタンとの隙間に液体が流れることがあっても、その液体は光透過防滴シートに到達した後、立ち下がり部のシート開口部側表面を伝って表示部に落下する。この結果、接点及び光源が濡れることはない。
【００１８】
また、本発明では、光透過防滴シートには光源からの光を透過すべく上面に形成された光透過部が設けられているので、光源からの光の演出は担保されるようになっている。
【００１９】
したがって、操作ボタンの周囲を光源にて光演出する場合に、接点及び光源の防滴構造を適切に行い得るスイッチユニットを提供することができる。
【００２０】
本発明のスイッチユニットでは、前記光透過防滴シートは、一種類の有色からなる弾性部材にてなっていると共に、前記光透過防滴シートにおける光透過部以外は、上記光源からの光を遮光する遮光部となっており、上記光透過部の厚さは、上記遮光部の厚さよりも薄いことが好ましい。
【００２１】
すなわち、光透過防滴シートには、光の演出に必要な部分は光が透過する一方、それ以外は遮光することが望ましい。
【００２２】
そこで、本発明では、光透過防滴シートは、一種類の有色からなる弾性部材にてなっていると共に、光透過防滴シートにおける光透過部以外は、上記光源からの光を遮光する遮光部となっている。すなわち、光透過防滴シートは例えばゴム等の弾性部材からなっているが、このような弾性部材において、光の吸収度は、弾性部材の厚さと色とに比例する。そこで、本発明では、光透過防滴シートにおける光透過部の厚さを遮光部の厚さよりも薄くすると共に、光透過防滴シートの色を有色にしている。
【００２３】
これにより、一種類の光透過防滴シートの厚さ及び色によって、光の演出に必要な部分を薄い厚さの光透過部にて担保し、それ以外はそれよりも厚い遮光部により遮光を適切に担保するものとなっている。
【００２４】
本発明のスイッチユニットでは、前記光透過防滴シートは、吸光係数が４〜７の有色からなるシリコンゴムにてなっていることが好ましい。
【００２５】
これにより、入手し易い一種類のシリコンゴムの厚さ及び吸光係数が４〜７の有色によって、光の演出に必要な部分を薄い厚さの光透過部にて担保し、それ以外はそれよりも厚い遮光部により遮光を適切に担保するものとすることができる。
【００２６】
本発明のスイッチユニットでは、前記光透過防滴シートには、隣接する光源の間を遮光すべく遮光部からなる遮光仕切りが設けられていることが好ましい。
【００２７】
すなわち、本発明のような、操作ボタンの周囲を光源の発光により演出するスイッチユニットにおいては、操作ボタンの周囲の光が隣接する操作ボタンに入り込むと、発光によるアピールが分かり難くなる。
【００２８】
そこで、本発明では、前記光透過防滴シートには、隣接する光源の間を遮光すべく遮光部からなる遮光仕切りが設けられているので、この遮光部からなる遮光仕切りにて、光透過防滴シートの内部を通して、隣接する操作ボタンにおける周囲の光源からの光が互いに隣接する操作ボタンにおける周囲の演出に入り込むのを防止することができる。
【００２９】
したがって、隣接した操作ボタンの光が近隣の他方の操作ボタンに漏れない分光構造を有するスイッチユニットを提供することができる。
【００３０】
また、遮光仕切りは遮光部からなっており、光透過防滴シートの表面に形成された薄い厚さの光透過部の中央に設けられて、厚いリブとしての機能を有するものとなっている。このため、膜厚の薄い光透過部が撓むのを防止することによって滴下した液体が滞留することを防止することができるようになっている。
【００３１】
本発明のスイッチユニットでは、前記操作ボタンケースのボタンケース開口部には、操作ボタンの周囲に嵌合され、前記光源からの光を操作ボタンの周囲に沿って照射させる光拡散枠が該操作ボタンの周囲に嵌合されているとすることができる。
【００３２】
これにより、例えばＬＥＤ等の点光源からの光を光拡散枠によって、操作ボタンの辺に沿って光らせることができる。したがって、点光源においても線状光として演出することが可能となる。
【００３３】
本発明の遊技機は、上記課題を解決するために、上記記載のスイッチユニットを備えていることを特徴としている。
【００３４】
したがって、操作ボタンの周囲を光源にて光演出する場合に、接点及び光源の防滴構造を適切に行い得るスイッチユニットを備えた遊技機を提供することができる。
【発明の効果】
【００３５】
本発明のスイッチユニットは、以上のように、基板には、上記操作ボタンの周囲を照らす光源がさらに搭載されていると共に、表示部と操作ボタンとの間には、上記基板を覆うべく上記入力領域を臨む位置にシート開口部を形成した弾性部材からなる光透過防滴シートが設けられており、上記光透過防滴シートは、該操作ボタンの押し下げにより上記基板の接点を導通させるべく該接点に対向して当接可能に設けられた接点導通部と、上記基板の周囲を覆う立ち下がり部と、上記光源からの光を透過すべく上面に形成された光透過部とを備えている。
【００３６】
また、本発明の遊技機は、以上のように、上記記載のスイッチユニットを備えている。
【００３７】
それゆえ、操作ボタンの周囲を光源にて光演出する場合に、接点及び光源の防滴構造を適切に行い得るスイッチユニット及び遊技機を提供するという効果を奏する。
【図面の簡単な説明】
【００３８】
【図１】本発明におけるスイッチユニットの実施の一形態を示すものであり、スイッチユニットの構成を示す断面図である。
【図２】上記スイッチユニットを備えた遊技機としてのスロットマシンの構成を示す斜視図である。
【図３】上記スイッチユニットの構成を示す斜視図である。
【図４】上記スイッチユニットの構成を示す分解斜視図である。
【図５】上記スイッチユニットにおけるボタンユニットの構成を示す分解斜視図である。
【図６】上記ボタンユニットにおける操作ボタンの接点押圧部及び基板の接点を示す断面図である。
【図７】上記ボタンユニットにおける基板上の光源及び接点の構成を示す要部斜視図である。
【図８】上記ボタンユニットにおける導光枠体の構成を示す要部斜視図である。
【図９】上記ボタンユニットにおける導光枠体の構成を示す断面図である。
【図１０】上記ボタンユニットにおける操作ボタンの構成を示す要部斜視図である。
【図１１】上記ボタンユニットにおける光源とラバーシートの光透過部及び遮光仕切りを示す断面図である。
【図１２】媒質を透過する光の吸光度を示す模式図である。
【図１３】（ａ）はラバーシートの光透過部及び遮光仕切りの各厚さを０．３ｍｍ及び０．９ｍｍに固定して吸光係数を変化させたときの、透過する光の変化を示すグラフであり、（ｂ）はそのデータを示す図である。
【図１４】（ａ）は遮蔽光を目視で認識され難い２０ｌｍ以下とし、光透過部の厚さを部材の限度として０．３ｍｍに固定しての遮光仕切りの厚さを変化させたときの、吸光係数、透過光及び遮蔽光の関係を示すグラフであり、（ｂ）はそのデータを示す図である。
【発明を実施するための形態】
【００３９】
本発明の一実施形態について図１〜図１４に基づいて説明すれば、以下のとおりである。
【００４０】
尚、本実施の形態では、いわゆるスロットマシン等の遊技機に用いられるスイッチユニットについて説明するが、本発明はスロットマシンに限られるものではない。すなわち、スイッチユニットによりユーザの操作を受け付けて行う装置であれば、どのような装置であっても適用可能である。例えば、遊技機は、ポーカーゲーム等のトランプゲーム機や麻雀ゲーム機等にも適用できる。
【００４１】
まず、本実施の形態のスイッチユニットを備えた遊技機としてのスロットマシンについて、図２に基づいて説明する。図２は上記スイッチユニットを備えた遊技機としてのスロットマシンの構成を示す斜視図である。
【００４２】
図２に示すように、遊技機としてのスロットマシン１には、筐体４の上部における、遊技者の目線に当たる位置に表示モニター２が設けられていると共に、遊技者の手が置かれる筐体４における中央付近の位置に、操作部分が遊技者側に若干傾くようにスイッチユニット１０が設けられている。このように、スロットマシン１の前面の中央下部にスイッチユニット１０が備えられている。
【００４３】
表示モニター２には複数のリールが表示されている。これらリールは遊技者の操作によって回転することができ、停止したときのリールに示されているシンボルにより役が決定し、役に応じて賞が付与されるようになっている。尚、リールの表示は、液晶画面等の表示画面にリールに相当するものが表示されているものであってよく、又はリールそのものが設けられ、これが表示モニター２に配置されているものであってもよい。
【００４４】
スイッチユニット１０は、遊技者からの操作を受け付けるものである。本実施の形態では、スイッチユニット１０は、例えば、遊技者がスロットマシン１をプレイするときのベット数の指定操作、並びにリールの回転等の操作を受け付ける。尚、本実施の形態のスロットマシン１では、リールの回転開始は、スイッチユニット１０の横に別途設けられたリール回転ボタン３によって行われるようになっている。
【００４５】
上記スイッチユニット１０の詳細構成について、図３〜図９に基づいて説明する。図３はスイッチユニットの構成を示す斜視図であり、図４はスイッチユニットの構成を示す分解斜視図である。図５は、スイッチユニットにおけるボタンユニットの構成を示す分解斜視図である。図６は、上記ボタンユニットにおける操作ボタンの接点押圧部及び基板の接点を示す断面図である。図７は、上記ボタンユニットにおける基板上の光源及び接点の構成を示す要部斜視図である。図８は、上記ボタンユニットにおける導光枠体の構成を示す要部斜視図である。図９は、上記ボタンユニットにおける導光枠体の構成を示す断面図である。
【００４６】
スイッチユニット１０は、図３に示すように、スロットマシン１から分離できるようになっている。本実施の形態のスイッチユニット１０では、複数の操作ボタン２３が一体構造にまとまったものからなっている。
【００４７】
このスイッチユニット１０は、図４に示すように、下から順に、表示部としての表示ユニット１１とブラケット１２とボタンユニット２０とから構成されており、ブラケット１２を挟んで表示ユニット１１とボタンユニット２０とが一体化されるようになっている。したがって、本実施の形態のスイッチユニット１０では、後述するように、ボタンユニット２０に液体が滴下されても、表示ユニット１１の上面を流れて排出されるようになっている。
【００４８】
上記表示ユニット１１は、ＬＣＤ（liquid crystal display）１１ａ、このＬＣＤ１１ａを下側から保持するＬＣＤケース１１ｂ、及びＬＣＤ１１ａの上面を保護すべくＬＣＤ１１ａの全面を覆う透光性を有する保護シート１１ｃを有している。ＬＣＤ１１ａは、液晶表示装置であり、後述する透明の操作ボタンから視認できる位置つまり入力領域に絵、文字等の所定画像を表示するようになっている。
【００４９】
ブラケット１２は、上述したように、表示ユニット１１とボタンユニット２０とを一体化するための支持板であり、このブラケット１２には、操作ボタンとの対応位置、つまりＬＣＤ１１ａの表示領域に対応する位置にブラケット開口部１２ａが設けられている。
【００５０】
上記ボタンユニット２０は、複数の透明の操作ボタン２３を有すると共に、その操作ボタン２３の周囲には、光源としてのＬＣＤからの表示を行う光拡散枠としての導光枠体２２を有し、かつ操作ボタン２３を押し下げすることによって、ＬＣＤ１１ａにおける該操作ボタン２３の下側の表示に対応した入力領域のスイッチとして機能するようになっている。尚、ボタンユニット２０の上側には、操作ボタン２３を露出させた状態で操作ボタンケース２１を覆う図示しないカバーを設けることも可能である。
【００５１】
上記ボタンユニット２０は、詳細には、図５に示すように、操作ボタンケース２１、導光枠体２２、操作ボタン２３、弾性部材からなる光透過防滴シートとしてのラバーシート２４、及び基板としてのＰＣＢ（printed circuit board：印刷回路基板）２５から構成されている。
【００５２】
上記操作ボタンケース２１は、黒色のプラスチック等により成形されている。また、操作ボタンケース２１には、操作ボタン２３の数と同じ数だけ、操作ボタン２３の位置に合わせて、ボタンケース開口部２１ａが設けられている。このボタンケース開口部２１ａの位置は、ＬＣＤ１１ａの入力領域に対応している。そして、これにより、操作ボタン２３が、ボタンケース開口部２１ａを通して操作ボタンケース２１の上側に突出すると共に、押し下げ自在に遊嵌されるようになっている。尚、本実施の形態では、操作ボタン２３が例えば１１個備えられている例について説明しているが、操作ボタン２３の数はこれに限られない。１１個よりも少なくても多くてもよいし、１個でもよい。
【００５３】
操作ボタン２３は、透明プラスチック等の透光性を有する直方体状部材にてなっており、押しボタン２３ａと該押しボタン２３ａにおける下端の２隅から突出する接点押圧部２３ｂと、該押しボタン２３ａにおける下端の他の２隅から突出する支持固定部２３ｃとを有している。
【００５４】
上記直方体状部材からなる押しボタン２３ａの４つの側面壁は、下側に向かうにつれて外側に広がる傾斜面となっている。この傾斜面は、下方に鈍角になるように垂直面に対して例えば１０〜２０°の傾斜となっている。これにより、遊技者に対して奥となる側面壁ＷＳの表示が反射光により見づらくなるのを防止するようになっている。尚、押しボタン２３ａの側面壁の傾斜は、必ずしも４つの側面壁に限らず、少なくとも遊技者に対して奥となる側面壁に傾斜が設けられていればよい。
【００５５】
上記ラバーシート２４は、図５に示すように、操作ボタン２３の下に配置されている。このラバーシート２４には、上記操作ボタン２３と対応する位置、つまりＬＣＤ１１ａの入力領域を臨む位置にシート開口部２４ａが設けられている。ラバーシート２４は、例えばシリコンゴム等の弾性を有する部材からなっており、灰色を有している。
【００５６】
また、ラバーシート２４には、操作ボタン２３の接点押圧部２３ｂと対応する位置に突起部２４ｂが設けられている。この突起部２４ｂの裏面側は、図６に示すように、空洞となっており、この空洞には、ＰＣＢ２５に設けられた接点としての電極端子２５ｂ・２５ｂに対向するように、接点導通部としてのカーボン電極２４ｄが設けられている。
【００５７】
上記操作ボタン２３の接点押圧部２３ｂとラバーシート２４の突起部２４ｂとは接触しており、操作ボタン２３を押し下げると、操作ボタン２３の接点押圧部２３ｂがラバーシート２４の突起部２４ｂを押し込むことにより、この電極端子２５ｂ・２５ｂに跨って当接する。この結果、電極端子２５ｂ・２５ｂ間が導通され、スイッチオンとして機能する。
【００５８】
このとき、ラバーシート２４の突起部２４ｂは弾性を有しているので、押し込まれた後、操作ボタン２３の接点押圧部２３ｂを押し返す。これにより、操作ボタン２３の押圧感を出すことができ、操作ボタン２３が押しボタンとして機能するようになっている。尚、上記の構成により、ラバーシート２４は、突起部２４ｂにて少なくともＰＣＢ２５の電極端子２５ｂ・２５ｂを覆っている。
【００５９】
また、前述したように、図５に示す操作ボタン２３には、押しボタン２３ａにおける下端の他の２隅から突出する支持固定部２３ｃ・２３ｃを有していると共に、ラバーシート２４における該支持固定部２３ｃ・２３ｃの対向位置には、支持突起２４ｃが設けられている。
【００６０】
そして、図６に示すように、操作ボタン２３の支持固定部２３ｃには、固定用穴２３ｄが設けられている。このため、ラバーシート２４の２箇所の支持突起２４ｃ・２４ｃを操作ボタン２３における支持固定部２３ｃの固定用穴２３ｄ・２３ｄにそれぞれ挿入することによって、操作ボタン２３がラバーシート２４から横方向に動かないように固定することができる。
【００６１】
次に、図５に示すように、上記ＰＣＢ２５は、必要な配線が施されたプリント基板であり、操作ボタン２３の押し下げを検出して予め定められた処理を実行するものである。ＰＣＢ２５には、操作ボタン２３の押しボタン２３ａと対応する位置、つまりＬＣＤ１１ａの入力領域に対応する位置に基板開口としてのＰＣＢ開口２５ａが設けられている。
【００６２】
上記ＰＣＢ２５には、上述したように、図５、及び図６に示す操作ボタン２３の接点押圧部２３ｂの真下に位置する箇所に接点としての電極端子２５ｂ・２５ｂが設けられている。このため、操作ボタン２３を押し下げると、操作ボタン２３の接点押圧部２３ｂがラバーシート２４の突起部２４ｂに押圧力を加える。これにより、突起部２４ｂの裏側に設けられたカーボン電極２４ｄが、隙間を有して離間して設けられた２つの電極端子２５ｂ・２５ｂに跨って接触するので、ＰＣＢ２５は該位置の電極端子２５ｂ・２５ｂに導通があったことを認識する。この結果、ＰＣＢ２５では、該位置の電極端子２５ｂ・２５ｂの上側に存在する操作ボタン２３が押し下げされたことを検出することができる。尚、本実施の形態では、ＰＣＢ２５におけるカーボン電極２４ｄは、スイッチユニット１０の上側からは見えないので、透明電極である必要はない。したがって、本実施の形態のスイッチユニット１０は、この意味で、一般的なタッチパネルの入力装置は使用していない。
【００６３】
また、本実施の形態では、図７に示すように、ＰＣＢ開口２５ａの周囲におけるＰＣＢ２５の縁には、操作ボタン２３の周囲に設けられた導光枠体２２の下側に位置する箇所に、操作ボタン２３の周囲を照明する光源としてのＬＥＤ（light-emitting diode）２５ｃが設けられている。このＬＥＤ２５ｃは、後述する図１１に示すように、ラバーシート２４の立ち下がり部２４ｅによって、シールされている。
【００６４】
このＬＥＤ２５ｃは、操作ボタン２３の周囲に該ＬＥＤ２５ｃからの光を演出するものである。ここで、ＬＥＤ２５ｃは点光源であり、長い線状には光を拡散することができない。
【００６５】
そこで、本実施の形態では、ＬＥＤ２５ｃの上側に、図５に示す導光枠体２２を設けている。この導光枠体２２は、図８及び図９に示すように、ＬＥＤ２５ｃに対向する部分に山状波型２２ａを有している。これにより、輝度の高いＬＥＤ２５ｃからの直行光がラバーシート２４の光透過部２４ｆを透過して、導光枠体２２のＶ字の境界である山状波型２２ａに当ることによって、その光が拡散され、輝度が抑制される。このとき、ＬＥＤ２５ｃからの側面光は導光枠体２２の傾斜形状に沿って、放射状に広がり均一な光を供給する。したがって、直行光と側面光との輝度差が軽減される。ここで、ＬＥＤ２５ｃからの光は、後述するように、ラバーシート２４の後述する遮光仕切り２４ｇにより、隣接する他方の操作ボタン２３の周囲に光が漏れないよう抑制される。さらに、導光枠体２２により分散された光は、操作ボタンケース２１の仕切り２１ｂにより、隣接する他方の操作ボタン２３の周囲に光が漏れないよう抑制されるようになっている。
【００６６】
以上のように、上記スイッチユニット１０の構成によれば、ＰＣＢ２５の上側には、電極端子２５ｂ・２５ｂを覆い、ＬＣＤ１１ａの入力領域に対応する位置にシート開口部２４ａを有するラバーシート２４と、ラバーシート２４の上側に設けられ、ＬＣＤ１１ａの入力領域に対応する位置にボタンケース開口部２１ａを有する操作ボタンケース２１と、透光性を有する押しボタン２３ａと該押しボタン２３ａの下端から側方に突出する少なくとも１個の接点押圧部２３ｂとを有し、押しボタン２３ａがボタンケース開口部２１ａ及びシート開口部２４ａに押し下げ自在に遊嵌して設けられ、かつ該押しボタン２３ａの入力領域に向けての押し下げ操作により接点押圧部２３ｂにてカーボン電極２４ｄをＰＣＢ２５の電極端子２５ｂ・２５ｂに当接して導通する操作ボタン２３とが設けられている。
【００６７】
このため、ＰＣＢ２５への押圧操作は物理的な操作ボタン２３を介して行われるので、操作ボタン２３を押し下げすることによって直感的な操作感、及びクリック感を得ることができる。
【００６８】
この結果、操作ボタン２３を押し下げるという、物理的な動作によりスイッチのオン操作を行うことできるので、１回１回操作ができているか否かを目で確認する必要はなく、スピード感・クイック感のあるスイッチユニット１０を提供することができる。
【００６９】
また、スイッチユニット１０は、押しボタン方式のような操作感、クイック感を有しつつ、ＬＥＤ２５ｃにて操作ボタン２３の周囲を光らせると共に、操作ボタン２３の上面に様々な情報（文字、絵等）を表示させることができるものとなっている。この結果、スイッチユニット１０は、押しボタン方式の利点を有したまま、顧客吸引力を有するユーザインタフェースを提供することができるようになっている。
【００７０】
すなわち、本実施の形態のスイッチユニット１０では、タッチパネル形式では提供できない操作感を遊技者に与えることができると共に、操作ボタン２３にＬＣＤ１１ａの表示画像を表示させ、かつ操作ボタン２３の周りを光らせることにより、遊技者に対し魅力あるスイッチユニット１０を提供できるものとなっている。
【００７１】
また、本実施の形態のスイッチユニット１０では、操作ボタンケース２１のボタンケース開口部２１ａには、操作ボタン２３の周囲に嵌合され、ＬＥＤ２５ｃからの光を操作ボタン２３の周囲に沿って照射させる導光枠体２２が操作ボタン２３の周囲に嵌合されている。これにより、ＬＥＤ２５ｃ等の点光源からの光を導光枠体２２によって、操作ボタン２３の辺に沿って光らせることができる。したがって、ＬＥＤ２５ｃ等の点光源においても線状光として演出することが可能となる。
【００７２】
ここで、本実施の形態では、操作ボタンケース２１には、操作ボタン２３を押し下げ自在に遊嵌させるボタンケース開口部２１ａがＬＣＤ１１ａの入力領域に対応する位置に設けられている。
【００７３】
このため、図１に示すように、コップ３０に入った飲料水等の液体がスイッチユニット１０にこぼれると、ボタンケース開口部２１ａにおける操作ボタン２３との隙間に液体が流れる。この結果、操作ボタンケース２１の下側に存在するＰＣＢ２５の電極端子２５ｂ・２５ｂに液体が浸入する虞がある。また、本実施の形態では、操作ボタン２３の周囲を照らすＬＥＤ２５ｃがＰＣＢ２５にさらに搭載されているので、ＬＥＤ２５ｃの防滴構造も必要となる。
【００７４】
そこで、本実施の形態では、ＬＣＤ１１ａと操作ボタン２３との間には、弾性部材からなるラバーシート２４が設けられている。そして、このラバーシート２４は、操作ボタン２３を押し下げ自在に遊嵌させるシート開口部２４ａと、操作ボタン２３の押し下げにより上ＰＣＢ２５の電極端子２５ｂ・２５ｂを導通させるべく該電極端子２５ｂ・２５ｂに対向して当接可能に設けられたカーボン電極２４ｄと、ＰＣＢ２５の周囲を覆う立ち下がり部２４ｅと、ＬＥＤ２５ｃからの光を透過すべく上面に形成された後述する光透過部２４ｆとを有している。
【００７５】
この結果、電極端子２５ｂ・２５ｂ及びＬＥＤ２５ｃはＰＣＢ２５に設けられており、そのＰＣＢ２５は、ラバーシート２４の表面、及びＰＣＢ２５の周囲を覆う立ち下がり部２４ｅによって、シールされている。このとき、ラバーシート２４はシリコンゴム等の弾性部材からなっているので、ラバーシート２４における立ち下がり部２４ｅの下端をＬＣＤ１１ａに密着させることができる。
【００７６】
このため、ボタンケース開口部２１ａにおける操作ボタン２３との隙間に液体が流れることがあっても、図１に示すように、その液体はラバーシート２４に到達した後、立ち下がり部２４ｅのラバー開口部側表面を伝ってＬＣＤ１１ａの上面に設けられた保護シート１１ｃに落下する。そして、スイッチユニット１０がスロットマシン１において傾斜して設けられていれば、液体Ｗが下方に向かって流れる。この結果、電極端子２５ｂ・２５ｂ及びカーボン電極２４ｄ並びにＬＥＤ２５ｃが濡れることはない。
【００７７】
したがって、操作ボタン２３の周囲をＬＥＤ２５ｃにて光演出する場合に、カーボン電極２４ｄ及び電極端子２５ｂ・２５ｂ、並びにＬＣＤ１１ａの防滴構造を適切に行い得るスイッチユニット１０を提供することができる。
【００７８】
尚、本実施の形態のスイッチユニット１０では、図１に示すように、保護シート１１ｃの一方の端部側に、貯液容器５を設けておくことが可能である。これにより、スイッチユニット１０が傾斜して設けられている場合に、ボタンケース開口部２１ａにおける操作ボタン２３との隙間、及びシート開口部２４ａに浸入し、かつＰＣＢ２５のＰＣＢ開口２５ａを通り、ＬＣＤ１１ａの表面を覆う透光性を有する保護シート１１ｃの上面に到達した液体Ｗは、保護シート１１ｃの一方の端部側、つまり液体Ｗの下流側に設けられた貯液容器５に貯液される。
【００７９】
したがって、スイッチユニット１０にこぼれた液体Ｗが、保護シート１１ｃの上面にいつまでも溜まるということがない。
【００８０】
また、本実施の形態では、貯液容器５には、スロットマシン１のスイッチユニット１０を設置している筐体４の外側に通ずる廃液コック６を設けておくことが可能である。これにより、スロットマシン１の外側にて、貯液容器５に溜まった液体Ｗを容易に取り出すことができる。
【００８１】
さらに、本実施の形態のスイッチユニット１０は、液体Ｗが内部に溜まっている場合においても容易に分解掃除できる構成となっている。すなわち、本実施の形態のスイッチユニット１０は、滴下した液体ＷによりＬＣＤ１１ａの画像が見難くなっても、容易に拭き取ることができるメンテナンス容易なスイッチユニット１０となっている。
【００８２】
ここで、本実施の形態では、複数の操作ボタン２３の周囲には、導光枠体２２が設けられ、その下側には、ラバーシート２４を介してＬＥＤ２５ｃが設けられている。したがって、このような操作ボタン２３の周囲をＬＥＤ２５ｃの発光により演出するスイッチユニット１０においては、操作ボタン２３の周囲の光が隣接する操作ボタン２３に入り込むと、発光によるアピールが分かり難くなる。
【００８３】
以下では、本実施の形態のスイッチユニット１０における分光構造について、図１０〜図１３に基づいて、詳細に説明する。図１０は、上記ボタンユニットにおける操作ボタンの構成を示す要部斜視図である。図１１は、上記ボタンユニットにおける光源とラバーシートの光透過部及び遮光仕切りを示す断面図である。図１２は、媒質を透過する光の吸光度を示す模式図である。図１３（ａ）はラバーシートの光透過部及び遮光仕切りの各厚さを０．３ｍｍ及び０．９ｍｍに固定して吸光係数を変化させたときの、透過する光の変化を示すグラフであり、図１３（ｂ）はそのデータを示す図である。
【００８４】
まず、本実施の形態では、図１０及び図１１に示すように、操作ボタンケース２１には、隣接する操作ボタン２３の間から漏れる光を遮蔽する仕切り２１ｂが設けられている。このため、仕切り２１ｂにて、隣接する操作ボタン２３における周囲のＬＥＤ２５ｃからの光が乱反射して互いの隣接する操作ボタン２３における周囲の演出に入り込むのを防止することができる。
【００８５】
次に、ラバーシート２４における分光構造について、以下に説明する。
【００８６】
本実施の形態のスイッチユニット１０では、図１１に示すように、上記ＬＥＤ２５ｃは、ラバーシート２４の下側に設けられている。したがって、ラバーシート２４の上面によって、ＬＥＤ２５ｃからの光が遮光されると、スイッチユニット１０はＬＥＤ２５ｃによる光の演出ができない。
【００８７】
そこで、本実施の形態では、図１１に示すように、ラバーシート２４にはＬＥＤ２５ｃからの光を透過する光透過部２４ｆがＬＥＤ２５ｃの直上面に設けられている。このため。ＬＥＤ２５ｃからの光の演出は担保されるようになっている。
【００８８】
また、本実施の形態のスイッチユニット１０では、図１１に示すように、ラバーシート２４は、コストを抑えるべく、一種類の例えば灰色等の有色からなる弾性部材にてなっていると共に、ラバーシート２４における光透過部２４ｆ以外は、ＬＥＤ２５ｃからの光を遮光する遮光部となっており、光透過部２４ｆの厚さは、遮光部の厚さよりも薄くなっている。尚、本実施の形態では、ラバーシート２４は、例えば灰色となっているが、必ずしもこれに限らず、他の有色つまり有彩色であってもよい。
【００８９】
また、本実施の形態のスイッチユニット１０では、図１１に示すように、ラバーシート２４には、隣接するＬＥＤ２５ｃ・２５ｃの間を遮光すべく遮光部からなる遮光仕切り２４ｇが設けられている。そして、この遮光部からなる遮光仕切り２４ｇにて、ラバーシート２４の内部を通して、隣接する操作ボタン２３における周囲のＬＥＤ２５ｃからの光が互いに隣接する操作ボタン２３における周囲の演出に入り込むのを防止することができる。
【００９０】
したがって、隣接した操作ボタン２３の光が近隣の他方の操作ボタン２３に漏れない分光構造を有するスイッチユニット１０を提供することができる。
【００９１】
ここで、図１１に示すように、本実施の形態では、同一面積にできるだけ大きな操作ボタン２３を配置するため、ＬＥＤ２５ｃ・２５ｃの間の間隔、及び遮光仕切り２４ｇの厚さΔＷをできるだけ薄くしている。したがって、遮光仕切り２４ｇは、ＬＥＤ２５ｃ・２５ｃの間の光の漏れを防止する遮光部として機能するものであるが、該遮光仕切り２４ｇの厚さΔＷをできるだけ薄い０．９ｍｍに抑えている。
【００９２】
また、ラバーシート２４の光透過部２４ｆの厚さΔｔを０．３ｍｍとしている。このように、本実施の形態では、ＬＥＤ２５ｃの上面の防滴兼演出光透過機能を実現すると共に、ＬＥＤ２５ｃ・２５ｃの間の光の漏れを防止する機能とを実現するために、光透過部２４ｆの厚さと、遮光仕切り２４ｇの厚さとを変えている。
【００９３】
本実施の形態のスイッチユニット１０について、上記構成とした原理について、図１２に基づいて説明する。図１２は、媒質を透過する光の吸光度を示す模式図である。
【００９４】
図１２に示すように、吸光係数α、モル濃度ｃ、長さｌ、光路長さＬの媒質に光が入射する場合、媒質に入射する前の光の強度をＩ０とし、媒質の通過後の光の強度をＩ１ としたとき、媒質における光の吸光度Ａλは、ランベルト・ベールの法則により以下のようになる。
【００９５】
Ａλ＝−ｌｏｇ（Ｉ１ ／Ｉ０ ）＝αｃｌ≒０．４３４αＬ
ここで、例えば、媒質が乳白色のシリコンゴムであるとした、吸光係数αは１．４である。この場合、シリコンゴムの厚さを例えば０．３ｍｍとすると、光路長さＬは０．３ｍｍとなるので、吸光度Ａλ（０．３）は、
Ａλ（０．３）＝０．４３４×１．４×０．３
であり、透過率Ｔ（０．３）は、
Ｔ（０．３）＝ｅｘｐ（−Ａλ（０．３））
＝０．８３２６＝８３．３％
となる。
【００９６】
一方、乳白色シリコンゴムの厚さを例えば０．９ｍｍとすると、光路長さＬは０．９ｍｍとなるので、透過率Ｔ（０．９）は、
Ｔ（０．９）＝ｅｘｐ（−Ａλ（０．９））
＝０．５７７２＝５７．７％
したがって、
透過率Ｔ（０．３）：透過率Ｔ（０．９）＝８３．３：５７．７＝１．４：１    （式１）
これに対して、媒質が灰色のシリコンゴムであるとした、吸光係数αは７．０である。この場合、灰色シリコンゴムの厚さを例えば０．３ｍｍとすると、光路長さＬは０．３ｍｍとなるので、吸光度Ａλ（０．３）は、
Ａλ（０．３）＝０．４３４×７．０×０．３
であり、透過率Ｔ（０．３）は、
Ｔ（０．３）＝ｅｘｐ（−Ａλ（０．３））
＝０．４００１＝４０．０％
となる。
【００９７】
また、灰色シリコンゴムの厚さを例えば０．９ｍｍとすると、光路長さＬは０．９ｍｍとなるので、透過率Ｔ（０．９）は、
Ｔ（０．９）＝ｅｘｐ（−Ａλ（０．９））
＝０．０６４１＝６．４％
したがって、
透過率Ｔ（０．３）：透過率Ｔ（０．９）＝４０．０：６．４＝６．３：１    （式２）
となる。
【００９８】
この結果、（式１）から判断すると、乳白色シリコンゴムにおいて、厚さを０．３ｍｍから０．９ｍｍ変化させることにより、透過率Ｔ（０．３）と透過率Ｔ（０．９）とは、１．４倍の透過率の差を生じることがわかる。
【００９９】
そして、さらに、シリコンゴムを灰色にすることにより、（式２）から判断できるように、厚さを０．３ｍｍから０．９ｍｍ変化させると、透過率Ｔ（０．３）と透過率Ｔ（０．９）とを６．３倍にまで拡大できることが判明した。
【０１００】
このことから、シリコンゴムからなるラバーシート２４を用いる場合、灰色シリコンゴムを用いる方が乳白色シリコンゴムを用いるよりも、透過と遮光との変化をつけ易いことが判る。
【０１０１】
ここで、シリコンゴムを灰色にする場合、灰色には、白色よりも濃く、かつ黒色よりも薄い種々のレベルがある。そこで、灰色のレベルについて、光透過部２４ｆの厚さを０．３ｍｍとし、遮光部の厚さを０．９ｍｍに固定した状態で、薄灰色、灰色、濃灰色について検討を行った。つまり、吸光係数を変化させた。
【０１０２】
その結果、図１３（ａ）（ｂ）に示すように、直行する光（透過光）の透過光と遮蔽する光（漏れ光）の透過光との差が、透過率係数３〜５の場合に大きくなる。すなわち、色を濃くして、吸光係数を増加させると、光透過部２４ｆを通過する透過光と、遮光部を通過する遮蔽光の差が大きくなるが、吸光係数７を超えると、差が小さくなる。
【０１０３】
そのため、光透過部２４ｆと遮光部との板厚差を３倍とした場合、吸光係数は４〜７が好ましく、７前後がより最適な値となる。つまり、シリコンゴムにおいて灰色とは、透過率係数３の薄灰色から透過率係数５の灰色の範囲が好ましい。
【０１０４】
次に、光透過部２４ｆの厚さと遮光部の厚さについて、図１４（ａ）（ｂ）に基づいて説明する。図１４（ａ）は遮蔽光を目視で認識され難い２０ｌｍ以下とし、光透過部の厚さを部材の限度として０．３ｍｍに固定しての遮光仕切りの厚さを変化させたときの、吸光係数、透過光及び遮蔽光の関係を示すグラフであり、図１４（ｂ）はそのデータを示す図である。
【０１０５】
図１４（ａ）（ｂ）に示すように、光透過部２４ｆの厚さと遮光部の厚さとの板厚差が２倍以下の場合は、吸光係数を調整しても透過光が１００ｌｍを超えない。しかし、光透過部２４ｆの厚さと遮光部の厚さとの板厚差を３倍以上にすることによって、透過光が１００ｌｍ以上、かつ遮蔽光が２０ｌｍ以下の条件を組み合わせることが可能となることが判る。この条件は、例えば、ボタンレイアウトやボタンサイズの制約にもよるが、寸法に余裕がある場合は、板厚差が３倍を超えた条件でも成立する。
【０１０６】
一方、板厚差が７倍を越えると、吸光係数の変化が小さくなる。このため、光透過部２４ｆの厚さと遮光部の厚さとの板厚差の範囲は、３〜７倍が妥当な範囲と言え、板厚に合わせた吸光係数を選択することによって、レイアウトと発光との最適な組合せを選択することが可能である。
【０１０７】
このように、本実施の形態のスイッチユニット１０は、少なくとも１個の入力領域の画像を表示する表示ユニット１１と、電極端子２５ｂ・２５ｂを有しかつ表示ユニット１１の入力領域の画像が上方から見えるようにＰＣＢ開口２５ａを有して表示ユニット１１の上側に設けられたＰＣＢ２５と、少なくとも１個のボタンケース開口部２１ａを有してＰＣＢ２５を覆うように設けられた操作ボタンケース２１と、操作ボタンケース２１のボタンケース開口部２１ａを通して押し下げ自在に設けられ、かつ押し下げにより電極端子２５ｂ・２５ｂを導通させる少なくとも１個の透光性を有する操作ボタン２３とを備えている。そして、ＰＣＢ２５には、操作ボタン２３の周囲を照らすＬＥＤ２５ｃがさらに搭載されていると共に、表示ユニット１１と操作ボタン２３との間には、ＰＣＢ２５を覆うべく入力領域を臨む位置にシート開口部２４ａを形成した弾性部材からなるラバーシート２４が設けられており、ラバーシート２４は、操作ボタン２３の押し下げによりＰＣＢ２５の電極端子２５ｂ・２５ｂを導通させるべく該電極端子２５ｂ・２５ｂに対向して当接可能に設けられたカーボン電極２４ｄと、ＰＣＢ２５の周囲を覆う立ち下がり部２４ｅと、ＬＥＤ２５ｃからの光を透過すべく上面に形成された光透過部２４ｆとを備えている。
【０１０８】
この結果、電極端子２５ｂ・２５ｂ及びＬＣＤ１１ａはＰＣＢ２５に設けられており、そのＰＣＢ２５は、ラバーシート２４の表面及びＰＣＢ２５の周囲を覆う立ち下がり部２４ｅによって、シールされている。このとき、ラバーシート２４は弾性部材からなっているので、ラバーシート２４における立ち下がり部２４ｅの下端を表示ユニット１１に密着させることができる。
【０１０９】
このため、ボタンケース開口部２１ａにおける操作ボタン２３との隙間に液体が流れることがあっても、その液体はラバーシート２４に到達した後、立ち下がり部２４ｅのシート開口部２４ａ側表面を伝って表示ユニット１１の保護シート１１ｃに落下する。この結果、電極端子２５ｂ・２５ｂ及びＬＣＤ１１ａが濡れることはない。
【０１１０】
また、本実施の形態では、ラバーシート２４にはＬＥＤ２５ｃからの光を透過すべく上面に形成された光透過部２４ｆが設けられているので、ＬＥＤ２５ｃからの光の演出は担保されるようになっている。
【０１１１】
したがって、操作ボタン２３の周囲をＬＥＤ２５ｃにて光演出する場合に、電極端子２５ｂ・２５ｂ及びＬＥＤ２５ｃの防滴構造を適切に行い得るスイッチユニット１０を提供することができる。
【０１１２】
また、本実施の形態のスイッチユニット１０では、ラバーシート２４は、一種類の灰色等の有色からなる弾性部材にてなっていると共に、ラバーシート２４における光透過部２４ｆ以外は、ＬＥＤ２５ｃからの光を遮光する遮光部となっており、光透過部２４ｆの厚さは、遮光部の厚さよりも薄い。
【０１１３】
ところで、ラバーシート２４には、光の演出に必要な部分は光が透過する一方、それ以外は遮光することが望ましい。
【０１１４】
そこで、本実施の形態のスイッチユニット１０では、ラバーシート２４は、一種類の灰色等の有色からなる弾性部材にてなっていると共に、ラバーシート２４における光透過部２４ｆ以外は、ＬＥＤ２５ｃからの光を遮光する遮光部となっており、光透過部２４ｆの厚さは、遮光部の厚さよりも薄い。
【０１１５】
これにより、一種類のラバーシート２４の厚さ及び色によって、光の演出に必要な部分を薄い厚さの光透過部２４ｆにて担保し、それ以外はそれよりも厚い遮光部により遮光を適切に担保するものとなっている。
【０１１６】
すなわち、ラバーシート２４は例えばゴム等の弾性部材からなっているが、このような弾性部材において、光の吸収度は、弾性部材の厚さと色とに比例する。そこで、本実施の形態では、ラバーシート２４における光透過部２４ｆの厚さを遮光部の厚さよりも薄くすると共に、ラバーシート２４の色を灰色等の有色にしている。
【０１１７】
これにより、一種類のラバーシート２４の厚さ及び色によって、光の演出に必要な部分を薄い厚さの光透過部にて担保し、それ以外はそれよりも厚い遮光部により遮光を適切に担保するものとなっている。
【０１１８】
また、本実施の形態のスイッチユニット１０では、ラバーシート２４は、吸光係数が４〜７の灰色等の有色からなるシリコンゴムにてなっている。これにより、入手し易い一種類のシリコンゴムの厚さ及び吸光係数が４〜７の灰色によって、光の演出に必要な部分を薄い厚さの光透過部２４ｆにて担保し、それ以外はそれよりも厚い遮光部により遮光を適切に担保するものとすることができる。
【０１１９】
また、本実施の形態のスイッチユニット１０では、ラバーシート２４には、隣接するＬＥＤ２５ｃの間を遮光すべく遮光部からなる遮光仕切り２４ｇが設けられている。すなわち、本実施の形態のような、操作ボタン２３の周囲をＬＥＤ２５ｃの発光により演出するスイッチユニット１０においては、操作ボタン２３の周囲の光が隣接する操作ボタン２３に入り込むと、発光によるアピールが分かり難くなる。
【０１２０】
そこで、本実施の形態では、ラバーシート２４には、隣接するＬＥＤ２５ｃの間を遮光すべく遮光部からなる遮光仕切り２４ｇが設けられているので、この遮光部からなる遮光仕切り２４ｇにて、ラバーシート２４の内部を通して、隣接する操作ボタン２３における周囲のＬＥＤ２５ｃからの光が互いに隣接する操作ボタン２３における周囲の演出に入り込むのを防止することができる。
【０１２１】
したがって、隣接した操作ボタン２３の光が近隣の他方の操作ボタン２３に漏れない分光構造を有するスイッチユニット１０を提供することができる。
【０１２２】
また、遮光仕切り２４ｇは遮光部からなっており、ラバーシート２４の表面に形成された薄い厚さの光透過部２４ｆの略中央に設けられているので、厚いリブとしての機能を有するものとなっている。このため、膜厚の薄い光透過部２４ｆが撓むのを防止することによって滴下した液体が滞留することを防止することができるようになっている。
【０１２３】
また、本実施の形態のスロットマシン１は、本実施の形態のスイッチユニット１０を備えている。
【０１２４】
したがって、操作ボタン２３の周囲をＬＥＤ２５ｃにて光演出する場合に、電極端子２５ｂ・２５ｂ及びＬＥＤ２５ｃの防滴構造を適切に行い得るスイッチユニット１０を備えたスロットマシン１を提供することができる。
【０１２５】
尚、本発明は、上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【０１２６】
本発明は、操作感を改善した表示部を有するスイッチユニット及びこれを搭載した遊技機に関するものであり、ＬＣＤ等の表示部の上側に入力部を有するスイッチユニットに適用できる。また、遊技機としては、スロットマシンのみならず、ポーカーゲーム機、麻雀ゲーム機、トランプゲーム機等の遊技機に適用できる。
【符号の説明】
【０１２７】
１        スロットマシン（遊技機）
４        筐体
１０        スイッチユニット
１１        表示ユニット（表示部）
１１ａ      ＬＣＤ
１１ｂ      ＬＣＤケース
１１ｃ      保護シート
１２        ブラケット
１２ａ      ブラケット開口部
２０        ボタンユニット
２１        操作ボタンケース
２１ａ      ボタンケース開口部
２２        導光枠体（光拡散枠）
２２ａ      山状波型
２３        操作ボタン
２３ａ      押しボタン
２３ｂ      接点押圧部
２３ｃ      支持固定部
２３ｄ      固定用穴
２４        ラバーシート（光透過防滴シート）
２４ａ      シート開口部
２４ｂ      突起部
２４ｃ      支持突起
２４ｄ      カーボン電極（接点導通部）
２４ｅ      立ち下がり部
２４ｆ      光透過部
２４ｇ      遮光仕切り（遮光部）
２５        ＰＣＢ（基板）
２５ａ      ＰＣＢ開口（基板開口）
２５ｂ      電極端子（接点）
２５ｃ      ＬＥＤ（光源）
【図１】
2014044833.tif 000003
【図２】
2014044833.tif 000004
【図３】
2014044833.tif 000005
【図４】
2014044833.tif 000006
【図５】
2014044833.tif 000007
【図６】
2014044833.tif 000008
【図７】
2014044833.tif 000009
【図８】
2014044833.tif 000010
【図９】
2014044833.tif 000011
【図１０】
2014044833.tif 000012
【図１１】
2014044833.tif 000013
【図１２】
2014044833.tif 000014
【図１３】
2014044833.tif 000015
【図１４】
2014044833.tif 000016